(57)【要約】【課題】熱をかけて製造することができ、糸（３１）をピンセットで引き抜くとき、ピンセットの縁で糸（３１）が切れないようにした安全で確実に挿入できる糸付き涙点プラグを提供する。【解決手段】ツバ（２３）、シャフト（２２）、先端部（２１）からなる糸付き涙点プラグにおいて、耐熱性、耐切創性に優れたアラミド繊維や真鍮などの金属やプラスチックからなる細い糸（３１）を通し、ツバ（２３）の直径（ｂ）を先端部（２１）の直径（ａ）より小さくする。さらに、先端部（２１）に突起（９１）をつけたものも優れている。【選択図】図１７
2005074167.tif 000002
【特許請求の範囲】
【請求項１】
ツバ（２３）、シャフト（２２）、先端部（２１）、細い部材（３１）からなる糸付き涙点プラグにおいて、シャフト（２２）や先端部（２１）に引張り強度、耐切創性、耐熱性、耐疲労性に優れた細い部材（３１）が設けられており、ツバ（２３）の直径（ｂ）が先端部（２１）の直径（ａ）より小さくなっていることを特徴とする糸付き涙点プラグ。
【請求項２】
細い部材（３１）がアラミド繊維からなる糸であることを特徴とする請求項１に記載の糸付き涙点プラグ。
【請求項３】
細い部材（３１）がステンレスや真鍮などの金属やプラスチックからなる糸であることを特徴とする請求項１に記載の糸付き涙点プラグ。
【発明の詳細な説明】
【技術分野】
【０００１】
この発明はドライアイの治療に適した涙点プラグに関する。
【背景技術】
【０００２】
本発明者はドライアイの治療のための、操作が簡単で患者に与える苦痛が少なく、しかも正確に素早く安全に挿入でき、従来のものに比較して効果的で、抜けにくく、装用感の良い涙点プラグなどの涙道内挿管器具を長年に渡り鋭意研究を続けてきた。例えば特開２０００−７０２９６、米国特許  Ｎｏ．ＵＳ  ６，３８３，１９２Ｂ。
【０００３】
図１に示すように、涙液は涙腺（１４）から分泌され、角膜（１５）や結膜（１６）が存在する眼球表面（１７）を潤した後に、涙道を通って下鼻道（１８）に排出される。涙道は、上涙点（１）、下涙点（２）、上涙小管垂直部（３）、下涙小管垂直部（４）、上涙小管垂直部と水平部の境界部（５）、下涙小管垂直部と水平部の境界部（６）、上涙小管水平部（７）、下涙小管水平部（８）、総涙小管（９）、内総涙点（１０）、涙嚢（１１）、鼻涙管（１２）からなる。鼻涙管（１２）の下端（１３）は下鼻道（１８）に開いている。涙小管水平部（７）、（８）の内腔の形態は紡錘形である。涙小管内腔に陰圧が発生することが知られている。例えば栗橋克昭著：ダクリオロジー―臨床涙液学―．メディカル葵出版，東京，1998．参照。
【０００４】
涙点の開口部の大きさは０．１〜０．８ｍｍ2（平均約０．３ｍｍ2）である。例えばＣａｒｔｅｒ  ＫＤ  ｅｔ  ａｌ：Ｓｉｚｅ  ｖａｒｉａｔｉｏｎ  ｏｆ  ｔｈｅ  ｌａｃｒｉｍａｌ  ｐｕｎｃｔｕｍ  ｉｎ  ａｄｕｌｔｓ．Ｏｐｈｔｈａｌｍｉｃ  Ｐｌａｓｔ  Ｒｅｃｏｎｓｔｒ  Ｓｕｒｇ  ４：２３１，１９８８．参照。日本人の涙点の開口部の直径は０．１〜０．５ｍｍである。例えば鈴木志賀子：眼疾患に対する細隙灯検査法の研究、第２段，涙点に関する研究．臨床眼科10：114，1956．参照。涙小管垂直部は涙点に比較し格段に大きな腔を有する。涙点の開口部が小さくても涙小管垂直部の内腔は広い。涙点の開口部が小さくなると、それに比例して涙小管垂直部の内腔が小さくなるということはない。
【０００５】
涙腺（１４）の機能が低下し、涙液が不足しているドライアイの患者においては、眼にとって非常に重要な涙液が涙道を通ってすぐに排出されてしまう。このような涙液の排出を抑えるために、上涙点（１）や下涙点（２）を電気凝固器などで閉鎖したり、シリコーンでできた涙点プラグを上涙点（１）や下涙点（２）につめて閉鎖したりすることが行われている。このようにして、上涙点（１）、下涙点（２）を塞ぐことにより、涙液が不足しているドライアイの患者においても、眼の結膜嚢内に涙が貯留するようになり、ドライアイの眼症状が消失することが多い。
【０００６】
ドライアイの治療には図２のツバ（２３）、シャフト（２２）、先端部（２１）からなる涙点プラグが使用されている。涙点プラグは図３に示されるように上涙点（１）や下涙点（２）から挿入するが、正しく挿入するとツバ（２３）は上涙点（１）や下涙点（２）の外で涙点（１）、（２）に密着して存在し、シャフト（２２）と先端部（２１）は上涙小管垂直部（３）や下涙小管垂直部（４）の中にあり、先端部（２１）は涙小管垂直部の内腔を十分に満たすように大きくなっており、涙小管の中に涙液が流入するのを阻止すると同時に、涙点プラグの安定性を保っている。ツバ（２３）も涙点プラグを固定するだけでなく、涙液が涙小管の中に流入するのを阻止するのに役立っている。
【０００７】
従来の涙点プラグにおいては、ツバ（２３）の直径は先端部（２１）の直径と同じか、それ以上である。図４に示される一群の涙点プラグは、現在、イーグルビジョン社から発売されているものである。図４に示されるように、イーグルビジョン製の涙点プラグはツバ（２３）の直径が先端部（２１）の直径と同じである（特表２００２−５２９１４４参照）。図４に示されるように、最も小さいものはツバ（２３）の直径が０．４ｍｍであるが、それに合わせて先端部（２１）の直径が０．４ｍｍとなっている。この涙点プラグはツバ（２３）が０．４ｍｍと小さいため、ツバ（２３）より先に挿入する先端部（２１）で涙点が拡張され、図５に示されるように挿入時にツバ（２３）が涙点の開口部を経て涙小管の中に容易に入ってしまう。そのため先端部（２１）の直径を０．４ｍｍとツバの直径と同じ大きさにしている。しかし、先端部（２１）の直径が０．４ｍｍというのは涙小管垂直部の内腔の大きさに比較して小さすぎるため、涙点プラグの安定性は悪く抜け出しやすいだけでなく、涙液の涙道への流入を阻止することができない。この小さな涙点プラグにおいて先端部（２１）の直径をツバ（２３）の直径と同じく０．４ｍｍにしたのは、挿入時に先端部（２１）で拡張された涙点からツバ（２３）が涙小管の中に入っていくのを恐れ、先端部（２１）の直径を０．４ｍｍ以上にできなかったためである。もし、先端部（２１）の直径を０．４ｍｍより大きくすると、先端部（２１）により涙点（１）、（２）は拡張し、小さなツバ（２３）は拡張した涙点（１）、（２）からさらに容易に涙小管の中に入ってしまい、容易にツバ(２３)を引き出すことができない結果となる。
【０００８】
涙点の開口部の直径が０．１ｍｍのときは、ツバ（２３）と先端部（２１）の直径が０．４ｍｍの涙点プラグよりも、たいてい直径０．３ｍｍのツバ（２３）で直径１ｍｍの先端部（２１）を有する涙点プラグの方が優れているが、従来技術に従ってプラグに糸を通さないでこのプラグを挿入すると、挿入時に小さなツバ（２３）は大きな先端部（２１）で拡張された涙点（１）、（２）から容易に涙小管の中に入ってしまい、プラグを取り出すために苦労する。
【０００９】
図４に示すように、イーグルビジョン製の涙点プラグで大きなものはツバ（２３）と先端部（２１）の直径が同じで１．１ｍｍである。ツバ（２３）が大きくなるとツバ（２３）の縁が眼球表面に当たり装用感が悪くなる。一方、ツバ（２３）の大きさを小さくし、先端部（２１）の大きさを１．１ｍｍとそのままの大きさにすると、従来の糸を使用しない涙点プラグでは、先端部（２１）の挿入により拡張された涙点の開口部から小さなツバ（２３）が涙小管の中に容易に入ってしまう。ツバ（２３）が涙小管の中に入ってしまうと、涙点プラグは全く見えなくなるが、それを取り出すために手術顕微鏡下で涙点と涙小管を切開し、プラグを取り出した後に縫合をしなければならず多大の時間を要する。
【００１０】
本発明者はすでに、涙小管の中にツバ（２３）が入ってもツバ（２３）を引き出して正しく留置できる糸付き涙点プラグを発明した（例えば特願２００３−１５４３２８、特願２００３−１９８７７９、特願２００３−２９５６６４参照）。今まで５０個の涙点に細いナイロン糸を通した涙点プラグを挿入したが、いずれも正しく留置することができた。しかし、ナイロン糸は耐切創性に欠けるため、涙点プラグからナイロン糸をピンセットで抜去するときピンセットの縁で糸が切れることがあった。また、ナイロン糸は耐熱性に欠けるため、熱をかけて糸付き涙点プラグをつくるときに問題である。
【００１１】
涙道の中に入った涙点プラグは取り出さずに放置されていることが多いのが現状である。放置しておくと涙嚢炎を起こすことがある。涙点プラグの刺激により、涙小管垂直部（３）、（４）と涙小管水平部（７）、（８）の間で涙小管が閉塞してしまうことがある。（例えばＦａｙｅｔ  Ｂ，ｅｔ  ａｌ：Ｃａｎａｌｉｃｕｌａｒ  ｓｔｅｎｏｓｅｓ  ｃｏｍｐｌｉｃａｔｉｎｇ  ｔｈｅ  ｉｎｓｅｒｔｉｏｎ  ｏｆ  ｌａｃｒｉｍａｌ  ｐｌｕｇｓ．Ｉｎｃｉｄｅｎｃｅ  ａｎｄ  ｍｅｃｈａｎｉｓｍｓ．Ｊ  Ｆｒ  Ｏｐｈｔｈａｌｍｏｌ  １５：２５−３３，１９９２）。
【００１２】
本発明者はすでに涙小管閉塞を予防する目的で、突起のついた涙点プラグにナイロン糸を通した糸付き涙点プラグを発明している（栗橋克昭：特願２００３−１５４３２８、特願２００３−１９８７７９、特願２００３−２９５６６４）。しかし、この突起付き涙点プラグもナイロン糸を使用しているため、糸が切れやすいということが問題となっている。
【特許文献１】特開２０００−７０２９６号公報
【特許文献２】米国特許Ｎｏ．ＵＳ  ６，３８３，１９２Ｂ
【特許文献３】特願２００３−１５４３２８
【特許文献４】特願２００３−１９８７７９
【特許文献５】特表２００２−５２９１４４
【特許文献６】特願２００３−２９５６６４
【非特許文献１】栗橋克昭著「ダクリオロジー―臨床涙液学―」メディカル葵出版  １９９８年
【非特許文献２】Carter KD et al: Size variation of the lacrimal punctum in adults.Ophthalmic Plast Reconstr Surg 4: 231, 1988
【非特許文献３】鈴木志賀子「眼疾患に対する細隙灯検査法の研究、第２段，涙点に関する研究」臨床眼科  １０：１１４  １９５６年
【非特許文献４】Fayet B, et al:Canalicularstenoses complicating the insertion of lacrimalplugs. Incidence and mechanisms. J Fr Ophthalmol15:25-33, 1992
【発明の開示】
【発明が解決しようとする課題】
【００１３】
解決しようとする問題点の一つ目は、ナイロン糸を使用した糸付き涙点プラグでは、糸（３１）を涙点プラグからピンセットで引き抜くときに、ピンセットの縁で糸（３１）が切れてしまうことがあるという点である。
【００１４】
解決しようとする問題点の二つ目は、ナイロン糸を使用した糸付き涙点プラグでは、ナイロン糸が熱に弱いため、熱をかけて行う糸付き涙点プラグの製造にナイロン糸が適していないという点である。
【課題を解決するための手段】
【００１５】
本発明の解決手段は、シャフト（２２）とシャフト（２２）の一端に取り付けられた十分に大きな先端部（２１）とシャフト（２２）の他端に取り付けられた十分に小さなツバ（２３）を備え、先端部(２１)の直径はツバ(２３)の直径より大きく、シャフト（２２）や先端部（２１）に引張り強度、耐切創性、耐熱性、耐疲労性に優れた細い部材、例えば、糸（３１）を設けてあることを特徴とする涙点プラグである。細い部材の好適例はアラミド繊維やステンレス、真鍮などの金属やプラスチックからできている細い糸である。尚、アラミド繊維からできている細い部材はデュポン社からケプラーという商品名で販売されており、防弾チョッキや釣り糸などの製造に使用されている。
【発明の効果】
【００１６】
図６〜２０に示されるように本発明による糸付き涙点プラグは、引張り強度、耐切創性、耐熱性、耐疲労性に優れた糸（３１）がついているので小さなツバ（２３）が涙小管の中に入っても容易に引き出し、正しく留置することができる。そのため、個人個人に適した十分に小さなツバ(２３)と十分に大きな先端部(２１)を有する涙点プラグを多数の涙点プラグの中から選択することができる。本発明による糸付き涙点プラグにおいてはツバ(２３)が涙小管の中に入ってもかまわないので、挿入前に思い切って涙点拡張針で涙点を拡張できるので容易にプラグを挿入することができる。十分に大きな先端部（２１）を有するので、涙小管垂直部を十分に塞ぎ、涙液の涙道内への流入を阻止することができるだけでなく、プラグの安定性が良くなる。また、ツバ（２３）は十分に小さくなっているので、眼表面に当たらず装用感が良い。
【００１７】
本発明による糸付き涙点プラグに使用されている細い糸は、引張り強度、耐切創性、耐疲労性、耐熱性に優れたアラミド繊維やステンレス、真鍮などの金属やプラスチックからできている。ナイロン糸と異なり、本発明に使用する糸（３１）はピンセットでつまんで涙点プラグから引き抜くときピンセットの縁で切れないので、さらに安全に、確実に涙点プラグを留置することができる。
【００１８】
糸付き涙点プラグに最初から細い部材を設置するためには、熱に強くなければならない。アラミド繊維やステンレス、真鍮などの金属やプラスチックからできている細い糸は熱に強いので、糸付き涙点プラグを製造するのに好都合である。
【発明を実施するための最良の形態】
【００１９】
本発明の実施形態においては、涙点プラグはプラスチック、好ましくは柔らかいプラスチックで作られている。シャフト（２２）の一端に先端部（２１）がついている。シャフト（２２）の他端にツバ（２３）がついている。シャフト（２２）や先端部（２１）に引張り強度、耐切創性、耐熱性、耐疲労性に優れた糸（３１）が通されている。糸（３１）はアラミド繊維やステンレス、真鍮などの金属やプラスチックからできている細い糸である。糸（３１）の直径は０．０１〜０．２ｍｍで、好ましくは０．０２〜０．１５ｍｍ、最適には０．０４〜０．１ｍｍである。
【００２０】
本発明の涙点プラグにおいては、耐熱性に優れた糸（３１）を使用するので熱をかけて糸付き涙点プラグを製造することができる。
【００２１】
図１１に示されるように、本発明の涙点プラグは耐切創性に優れた糸（３１）がついているので、挿入時、ツバ（２３）が涙小管の中に入っても、涙点（１）、（２）から出ている糸（３１）の両側を同時にピンセットで引っ張ってもピンセットの縁で切れない。ピンセットで糸（３１）を引っ張ることにより、ツバ（２３）を外に出し、正しくプラグを留置することができる。一度外に出したツバ（２３）は再び涙小管の中に入ることはない。
【００２２】
本発明の涙点プラグはピンセットで切れない糸（３１）がついているので、ツバ（２３）が涙小管の中に入っても、糸(３１)の両側を引っ張ることによりツバ（２３）を引き出して涙点プラグを正しく留置することができる。ツバ（２３）の直径に比較して大きな直径の先端部（２１）を挿入した直後は涙点の開口部は拡大しているが、まもなく元の小さな開口部に戻り、ツバ（２３）が涙小管の中に入っていくことはない。
【００２３】
従って、本発明の糸付き涙点プラグにおいては、確実に、安全に挿入できるので、個人個人の涙小管垂直部の内腔の大きさに応じた十分な大きさの先端部（２１）を有し、個人個人の涙点の大きさに合わせた十分に小さなツバ（２３）を有する涙点プラグにすることができるので、涙点プラグの安定性は格段に良くなり、ツバが小さいので眼表面に当たらず、装用感がよくなる。
【００２４】
さらに、図１２と図１３に示されるように、突起（９１）を先端部（２１）につけることにより、ツバ（２３）が涙小管の中に入りにくくなる。また、突起（９１）は涙点プラグの合併症である涙小管閉塞の防止になる。本発明による引張り強度、耐切創性、耐熱性、耐疲労性に優れた糸がついた糸付き涙点プラグはツバ(２３)が挿入時に涙小管の中に入ってもかまわないので、挿入前に涙点拡張針で大きく涙点を拡張することができる。涙点を思い切って拡張することにより、素早く、安全に、確実に涙点プラグを挿入することができる。
【実施例１】
【００２５】
図６〜１１に示される本発明による実施例においては、涙点プラグのシャフト（２２）や先端部（２１）に糸（３１）が通されており、ツバ（２３）の直径（ｂ）は先端部（２１）の直径（ａ）より小さくなっている。図９はシャフト（２２）がアコーディオン状になった本発明による涙点プラグの一群のものを示しているが、涙点プラグの大きさは図９に示された数字に限定されない。図１０に示されるように本発明による涙点プラグは必ずしもシャフト(２２)がアコーディオン状である必要はない。本発明による涙点プラグの大きさは図１０に示された数字に限定されない。図１１のように挿入時にツバ（２３）が涙小管の中に入っても糸（３１）の両側をピンセットなどで同時に引っ張ることにより、ツバ（２３）を外に出し、正しく涙点プラグを留置することができる。糸（３１）は引張り強度、耐切創性、耐熱性、耐疲労性に優れたアラミド繊維やステンレス、真鍮などの金属やプラスチックでできているので、ピンセットの縁で切れることはない。本発明においてはツバ(２３)が涙小管の中に入ってもかまわないので、挿入前に思い切って涙点を涙点拡張針にて大きく拡張できるので、涙点プラグの挿入は容易となる。図９はシャフト(２２)がアコーディオン状になった本発明の一群を示しているが、ツバ(２３)の直径は先端部(２１)の直径より大きくなっており、この中から個人個人の涙点や涙小管垂直部の大きさに応じた最適のものを選択することができる。図１０は本発明による涙点プラグの一群であるが、シャフト(２２)がテイパー状になっている。
【実施例２】
【００２６】
図１２〜２０に示される本発明による実施例２においては、涙点プラグの先端部（２１）に突起（９１）がついており、さらにアラミド繊維やステンレス、真鍮などの金属やプラスチックからつくられた糸（３１）がシャフト（２２）に通されている。図２１に示されるように突起（９１）は涙小管水平部の中に入る。突起（９１）の付着部は先端部（２１）の側面のほぼ全体に及ぶのが好ましい。突起の長さは１．５〜３ｍｍである。この突起付き涙点プラグも突起のない涙点プラグと同じようにインサーターで簡単に涙小管内に挿入することができる。
【００２７】
突起（９１）を先端部（２１）につけることにより、涙点プラグの合併症である涙小管閉塞を防止できるだけでなく、涙点プラグの挿入時にツバ（２３）が涙小管の中に入りにくくなる。
【００２８】
突起（９１）の先は涙点から挿入しやすいように尖っている。図１４に本発明によるアラミド繊維やステンレス、真鍮などの金属やプラスチックからつくられた糸（３１）を通した突起付き涙点プラグの代表的な一例を示しているが、シャフト(２２)がアコーディオン状になっている。
【００２９】
突起（９１）の大きさや形態は上述のものに限定されない。図１６は本発明によるアラミド繊維やステンレス、真鍮などの金属やプラスチックからつくられた糸（３１）を通した突起付き涙点プラグの一群を示しているが、シャフト(２２)がアコーディオン状になっている。図１７はアラミド繊維やステンレス、真鍮などの金属やプラスチックからできている引張り強度、耐切創性、耐熱性、耐疲労性に優れた糸（３１）を通した突起付き涙点プラグの一群を示しているが、シャフト(２２)はテイパー状である。図１６、１７に示される本発明による涙点プラグの一群においては、ツバ(２３)と先端部(２１)の直径が示されているが、ツバ(２３)や先端部（２１）の直径はこれらの数字に限定されない。
【００３０】
図１８は本発明者による別の実施例を示しているが、引張り強度、耐切創性、耐熱性、耐疲労性に優れたアラミド繊維やステンレス、真鍮などの金属やプラスチックからできている糸（３１）が通されており、ツバ（２３）の直径は先端部（２１）の直径より小さくなっている。また、シャフト（２２）がテイパー状になっておらず、先端部（２１）が球形で側面に突起（９１）がついている。
【００３１】
図１９は図１８に示した本発明による涙点プラグの一群を示しているが、本発明は図１９に記載されている数字に限定されない。
【００３２】
図１８（A）の糸付き涙点プラグにおいても、本発明による引張り強度、耐切創性、耐熱性、耐疲労性に優れた糸（３１）を使用しているが、ツバ（２３）の直径は先端部（２１）の直径より小さくなっている。シャフト（２２）の太さは直径０．２〜０．８ｍｍで、シャフト（２２）はまっすぐで、その長さは０．５〜１．５ｍｍで、球形の先端部（２１）の直径は０．７〜１．５ｍｍである。先端部（２１）についている突起（９１）の長さは１．５〜３ｍｍである。図１８(B)に示されるように、シャフト（２２）がテイパー状になっていても良い。図１８(C)に示されるように、シャフト（２２）がアコーディオン状になっていても良い。図１９は本発明者による本発明の一群の糸付き涙点プラグを示したものであるが、先端部（２１）は球形になっており、先端部（２１）の直径はツバ（２３）の直径より大きくなっている。ドライアイの患者は、この一群の糸付き涙点プラグの中から、個人個人に適した十分小さなツバ（２３）と十分大きな先端部（２１）を有するものを選択することができる。なお、本発明は図１９に記載されている大きさを示す数字に限定されない。
【００３３】
本発明による糸（３１）を通した突起付き涙点プラグにおいては、尖った突起（９１）の先端を、涙点から涙小管垂直部を経て涙小管水平部に挿入し、先端部（２１）、シャフト（２２）を涙小管垂直部に押し込む。もし、ツバ（２３）が涙小管の中に入ったら糸（３１）の両側を引っ張り、ツバ（２３）を外に出し、正しく留置する。糸（３１）は引張り強度、耐切創性、耐熱性、耐疲労性に優れたアラミド繊維やステンレス、真鍮などの金属やプラスチックからつくられているので、ピンセットで強くつまんで引っ張っても切れることがない。
【００３４】
突起（９１）つき涙点プラグにおいては突起（９１）のない涙点プラグに比較し、ツバ（２３）が涙小管の中に入りにくい。
【００３５】
以上のように涙点プラグに引張り強度、耐切創性、耐熱性、耐疲労性に優れたアラミド繊維やステンレス、真鍮などの金属やプラスチックからつくられた糸（３１）を通すことにより、プラグを安全に確実に留置できるだけでなく、個人個人の涙点や涙小管の大きさに応じて、個人個人に最も適した十分に小さなツバ（２３）と十分に大きな先端部（２１）を有する涙点プラグをつくることができる。
【産業上の利用可能性】
【００３６】
糸付き涙点プラグの糸の素材を引張り強度、耐切創性、耐熱性、耐疲労性に優れたアラミド繊維や金属にすることで、熱をかけた糸付き涙点プラグの製造が可能となり、使用時にピンセット（３２）で糸（３１）が切れにくくなる。
【００３７】
ドライアイの治療のための涙点プラグに引張り強度、耐切創性、耐熱性、耐疲労性に優れたアラミド繊維やステンレス、真鍮などの金属やプラスチックからつくられた糸（３１）を通すことにより、挿入時に涙小管の中に入ってしまった糸付き涙点プラグのツバ（２３）をピンセット（３２）で糸（３１）を引っ張ってツバ（２３）を引き出し、正しく留置することができる。従って、ツバ（２３）を装用感を良くするために十分に小さくし、先端部（２１）を十分に大きくできる。そして、サイズの異なる多数の糸付き涙点プラグをつくることにより、個人個人の涙点の開口部の大きさや涙小管垂直部の内腔の大きさに応じた理想的な形をした涙点プラグを一群の糸付き涙点プラグの中から選択することができる。
【図面の簡単な説明】
【００３８】
【図１】涙道を示す概略図
【図２】従来の涙点プラグを示す概略図
【図３】従来の涙点プラグの実施法を説明するための概略図
【図４】従来の涙点プラグのツバ（２３）と先端部（２１）の直径が同じであること示す概略図
【図５】従来の涙点プラグのツバ（２３）が涙小管の中に入ってしまうという失敗例を示す説明図
【図６】本発明の糸（３１）を通した涙点プラグの一例を示す概略図
【図７】本発明の糸（３１）を通した涙点プラグの別の例を示す概略図
【図８】本発明の糸（３１）を通した涙点プラグの一例を示す断面図
【図９】本発明による糸（３１）を通した涙点プラグで、ツバ（２３）の直径が先端部（２１）の直径より小さくなっている涙点プラグの一群を示す概略図
【図１０】本発明による糸（３１）を通した涙点プラグで、ツバ（２３）の直径が先端部（２１）の直径より小さくなっている涙点プラグの一群を示す概略図
【図１１】本発明の糸（３１）を通した涙点プラグの挿入法を示す説明図
【図１２】本発明の糸（３１）と突起（９１）を有する涙点プラグの一例を示す概略図
【図１３】本発明の糸（３１）と突起（９１）を有する涙点プラグの一例を示す概略図
【図１４】本発明の糸（３１）と突起（９１）を有する涙点プラグの一例を示す断面図
【図１５】本発明の糸（３１）と突起（９１）を有する涙点プラグの一例を示す断面図
【図１６】本発明による糸（３１）と突起（９１）を有する涙点プラグで、ツバ（２３）の直径が先端部（２１）の直径より小さくなっている涙点プラグの一群を示す概略図
【図１７】本発明による糸（３１）と突起（９１）を有する涙点プラグでツバ（２３）の直径が先端部（２１）の直径より小さくなっている涙点プラグの一群を示す概略図
【図１８】（A）は本発明による糸（３１）を通した涙点プラグで、シャフト（２２）がまっすぐで、先端部（２１）が球形で突起（９１）がついている涙点プラグの一例を示す概略図、（B）はさらにシャフト（２２）がテイパー状になっているもの、（C）はシャフト（２２）がアコーディオン状になっているもの。
【図１９】本発明による糸（３１）と球形の先端部（２１）とそれに付着した突起（９１）を有する涙点プラグでツバ（２３）の直径が先端部（２１）の直径より小さくなっている涙点プラグの一群を示す概略図
【図２０】本発明の糸（３１）と突起（９１）を有する涙点プラグの実施法を説明するための概略図
【符号の説明】
【００３９】
１      上涙点
２      下涙点
３      上涙小管垂直部
４      下涙小管垂直部
５      上涙小管垂直部と水平部の境界部
６      下涙小管垂直部と水平部の境界部
７      上涙小管水平部
８      下涙小管水平部
９      総涙小管
１０    内総涙点
１１    涙嚢
１２    鼻涙管
１３    鼻涙管の下端
１４    涙腺
１５    角膜
１６    結膜
１７    眼球表面
１８    下鼻道
２１    先端部
２２    シャフト
２３    ツバ
２４    孔
３１    糸（引張り強度、耐切創性、耐熱性、耐疲労性に優れた細い部材）
３２    ピンセット
９１    先端部（２１）に取り付けられた先の尖った部材（突起）
【図１】
2005074167.tif 000003
【図２】
2005074167.tif 000004
【図３】
2005074167.tif 000005
【図４】
2005074167.tif 000006
【図５】
2005074167.tif 000007
【図６】
2005074167.tif 000008
【図７】
2005074167.tif 000009
【図８】
2005074167.tif 000010
【図９】
2005074167.tif 000011
【図１０】
2005074167.tif 000012
【図１１】
2005074167.tif 000013
【図１２】
2005074167.tif 000014
【図１３】
2005074167.tif 000015
【図１４】
2005074167.tif 000016
【図１５】
2005074167.tif 000017
【図１６】
2005074167.tif 000018
【図１７】
2005074167.tif 000019
【図１８】
2005074167.tif 000020
【図１９】
2005074167.tif 000021
【図２０】
2005074167.tif 000022